(57)【特許請求の範囲】
【請求項１】
物体から順に、正の屈折力を有する第１レンズ群と、負の屈折力を有する第２レンズ群と、正の屈折力を有する第３レンズ群と、当該第３レンズ群に後続する少なくとも一つのレンズ群を含む後群と、いずれかのレンズ群間に配置される絞りとから構成され、
前記後群が、負の屈折力を有する第４レンズ群と、正の屈折力を有する第５レンズ群とから構成され、
各レンズ群の間隔を変化させて変倍を行うと共に、以下の条件式を満足することを特徴とする広角ズームレンズ。
５．０  ＜  Ｆ１／Ｆ３  ＜  ７．０                        ・・・（１）
２．２  ＜  （ΔＷ２３＋ΔＷ（ｎ−１）ｎ）／Ｆ３  ＜３．２  ・・・（２）
−１．３  ＜  βｗ  ＜  −０．８                              ・・・（３）
但し、
Ｆ１は、前記第１レンズ群の焦点距離であり、
Ｆ３は、前記第３レンズ群の焦点距離であり、
ΔＷ２３は、広角端における第２レンズ群と第３レンズ群との間の光軸上の間隔であり、
ΔＷ（ｎ−１）ｎは、広角端における当該広角ズームレンズの最も像面側に配置される第ｎレンズ群と、この第ｎレンズ群の物体側に配置される第ｎ−１レンズ群との間の光軸上の間隔であり、
βｗは、広角端における前記絞りから像面までの間に配置されるレンズ群により構成されるレンズ系の横倍率である。
【請求項２】
以下の条件式を満足する請求項１に記載の広角ズームレンズ。
１．７  ＜  （ΔＷ２３＋Δ（Ｗ（ｎ−１）ｎ）／ＦｉＴ  ＜  ３．０  ・・・（４）
但し、
ＦｉＴは、前記絞りから像面までに配置されるレンズ群により構成されるレンズ系の望遠端における焦点距離である。
【請求項３】
以下の条件式を満足する請求項１又は請求項２に記載の広角ズームレンズ。
４．０  ＜  Ｆ１／ＦｉＴ  ＜  ５．５  ・・・（５）
但し、
ＦｉＴは、望遠端における、前記絞りから像面までに配置されるレンズ群により構成されるレンズ系の焦点距離である。
【請求項４】
以下の条件式を満足する請求項１から請求項３のいずれか一項に記載の広角ズームレンズ。
１．３  ＜  ＦｉＷ／ＦｉＴ  ＜  ２．０  ・・・（６）
但し、
ＦｉＷは、広角端における、前記絞りから像面までに配置されるレンズ群により構成されるレンズ系の焦点距離であり、
ＦｉＴは、望遠端における、前記絞りから像面までに配置されるレンズ群により構成されるレンズ系の焦点距離である。
【請求項５】
請求項１から請求項４のいずれか一項に記載の広角ズームレンズと、当該広角ズームレンズによって形成される像を受光する撮像素子とを備えたことを特徴とする撮像装置。
【発明の詳細な説明】
【技術分野】
【０００１】
本件発明は、広角ズームレンズ及び当該広角ズームレンズを備えた撮像装置に関し、特に、一眼レフレックスカメラ（以下、「一眼レフカメラ」と称する。）等のレンズ交換式撮像装置に好適な広角ズームレンズ及び当該広角ズームレンズを備えた撮像装置に関する。
【背景技術】
【０００２】
近年、一眼レフカメラ等のレンズ交換式撮像装置の広角ズームレンズに対する小型化、高変倍比、高解像力に対する要求が大きい。小型化に対する要求には、レンズ全長の小型化と、径方向の小型化とがある。これらの要求に応えるレンズとして、例えば、物体側から順に、正、負、正の屈折力を有する第１レンズ群〜第３レンズ群と、これに後続する一つ以上のレンズ群を備えた広角ズームレンズが提案されている（例えば、「特許文献１」〜「特許文献３」参照）。
【０００３】
特許文献１に記載の広角ズームレンズは、広角端における画角が７２．６°程度、変倍比が１０．４〜１２．９７程度である。特許文献２に記載の広角ズームレンズは、広角端における画角が７７．５°〜７８°程度、変倍比が１５．７程度である。特許文献３に記載の広角ズームレンズは、広角端における画角が７４．４°〜７９．１°程度、変倍比が１４．５程度である。これらの広角ズームレンズはいずれも全長方向及び径方向の小型化が達成されている。
【先行技術文献】
【特許文献】
【０００４】
【特許文献１】特開２００８−２１６４４０号公報
【特許文献２】特開２０１１−１８６１５９号公報
【特許文献３】特開２０１１−０９０１９０号公報
【発明の概要】
【発明が解決しようとする課題】
【０００５】
しかしながら、近年の広角ズームレンズに対する一層の広角化に対する要求が大きく、特許文献１〜特許文献３に記載の広角ズームレンズは、広角端における画角が不足している。また、より高い変倍比を実現しようとすると、レンズの大型化或いは結像性能の低下を招くおそれがあり、これら全ての要求を実現することは困難であった。
【０００６】
そこで、本発明は、より広い画角及びより高い変倍比を実現すると共に、変倍域全域において高い結像性能を有する小型の広角ズームレンズを提供することを目的とする。
【課題を解決するための手段】
【０００７】
上記目的を達成するために、本件発明に係る広角ズームレンズは、物体から順に、正の屈折力を有する第１レンズ群と、負の屈折力を有する第２レンズ群と、正の屈折力を有する第３レンズ群と、当該第３レンズ群に後続する少なくとも一つのレンズ群を含む後群と、いずれかのレンズ群間に配置される絞りとから構成され、前記後群が、負の屈折力を有する第４レンズ群と、正の屈折力を有する第５レンズ群とから構成され、各レンズ群の間隔を変化させて変倍を行うと共に、以下の条件式を満足することを特徴とする。
【０００８】
５．０  ＜  Ｆ１  ／Ｆ３  ＜  ７．０                        ・・・（１）
２．２  ＜  （ΔＷ２３＋ΔＷ（ｎ−１）ｎ）／Ｆ３  ＜３．２  ・・・（２）
−１．３  ＜  βｗ  ＜  −０．８                              ・・・（３）
【０００９】
但し、
Ｆ１は、前記第１レンズ群の焦点距離であり、
Ｆ３は、前記第３レンズ群の焦点距離であり、
ΔＷ２３は、広角端における第２レンズ群と第３レンズ群との間の光軸上の間隔であり、
ΔＷ（ｎ−１）ｎは、広角端における当該広角ズームレンズにおいて最も像面側に配置される第ｎレンズ群と、この第ｎレンズ群の物体側に配置される第ｎ−１レンズ群との間の光軸上の間隔であり、
βｗは、広角端における、前記絞りから像面までの間に配置されるレンズ群により構成されるレンズ系の横倍率である。
【００１０】
本件発明に係る撮像装置は、上記記載の広角ズームレンズと、当該広角ズームレンズによって形成される像を受光する撮像素子とを備えたことを特徴とする。
【発明の効果】
【００１１】
本件発明によれば、より広い画角及びより高い変倍比を実現すると共に、変倍域全域において高い結像性能を有する小型の広角ズームレンズを提供することができる。
【図面の簡単な説明】
【００１２】
【図１】本件発明の実施例１の広角ズームレンズのレンズ断面図である。
【図２】実施例１の広角ズームレンズの広角端状態における無限遠合焦時の球面収差図、非点収差図、歪曲収差図及び倍率色収差図である。
【図３】実施例１の広角ズームレンズの中間焦点距離状態における無限遠合焦時の球面収差図、非点収差図、歪曲収差図及び倍率色収差図である。
【図４】実施例１の広角ズームレンズの望遠端状態における無限遠合焦時の球面収差図、非点収差図、歪曲収差図及び倍率色収差図である。
【図５】本件発明の実施例２の広角ズームレンズのレンズ断面図である。
【図６】実施例２の広角ズームレンズの広角端状態における無限遠合焦時の球面収差図、非点収差図、歪曲収差図及び倍率色収差図である。
【図７】実施例２の広角ズームレンズの中間焦点距離状態における無限遠合焦時の球面収差図、非点収差図、歪曲収差図及び倍率色収差図である。
【図８】実施例２の広角ズームレンズの望遠端状態における無限遠合焦時の球面収差図、非点収差図及び歪曲収差図である。
【図９】本件発明の実施例３の広角ズームレンズのレンズ断面図である。
【図１０】実施例３の広角ズームレンズの広角端状態における無限遠合焦時の球面収差図、非点収差図、歪曲収差図及び倍率色収差図である。
【図１１】実施例３の広角ズームレンズの中間焦点距離状態における無限遠合焦時の球面収差図、非点収差図、歪曲収差図及び倍率色収差図である。
【図１２】実施例３の広角ズームレンズの望遠端状態における無限遠合焦時の球面収差図、非点収差図、歪曲収差図及び倍率色収差図である。
【発明を実施するための形態】
【００１３】
以下、本件発明に係る広角ズームレンズ及び撮像装置の実施の形態を説明する。
【００１４】
１．広角ズームレンズ
１−１．広角ズームレンズの光学構成
まず、本件発明に係る広角ズームレンズの実施の形態を説明する。本件発明に係る広角ズームレンズは、正の屈折力を有する第１レンズ群と、負の屈折力を有する第２レンズ群と、正の屈折力を有する第３レンズ群と、当該第３レンズ群に後続する少なくとも一つのレンズ群を含む後群と、いずれかのレンズ群間に配置される絞りとから構成され、各レンズ群の間隔を変化させて変倍を行うと共に、後述する所定の条件式を満足することを特徴とする。
【００１５】
本件発明の広角ズームレンズは、物体側から順に正・負・正のパワー配置を採用し、第１レンズ群〜第３レンズ群と、第３レンズ群に後続する少なくとも一つのレンズ群を含む後群とから構成される。すなわち、本件発明に係る広角ズームレンズは少なくとも４つのレンズ群を備えるため、変倍時に各レンズ群を移動させる自由度が高く、高変倍比を実現しやすい。これと同時に、ズーム全域における収差の変動を抑制することが容易になるため、結像性能の高いズームレンズを得ることができる。また、後述する各種条件式を満足させることにより、当該広角ズームレンズの一層の広角化を図ったときも、当該広角ズームレンズをコンパクトに構成しつつ、高い結像性能を実現することができる。
【００１６】
本件発明に係る広角ズームレンズにおいて、上記後群は少なくとも一つのレンズ群を含めばよく、後群を構成するレンズ群の数は特に限定されるものではない。しかしながら、より高い変倍比と、変倍域全域におけるより高い結像性能を実現するという観点から、当該後群を構成するレンズ群の数は二つ以上であることが好ましい。また、当該広角ズームレンズの小型化を図るという観点から、当該後群を構成するレンズ群の数は三つ以下であることが好ましい。いずれの場合であっても、後述する各種条件式を満足させることにより、上述した効果が得られる。なお、本件発明に係る広角ズームレンズにおいて、各レンズ群の具体的なレンズ構成は特に限定されるものではない。
【００１７】
また、本件発明に係る広角ズームレンズにおいて、絞りの配置は特に限定されるものではない。しかしながら、例えば、良好な結像性能を得るという観点から、第２レンズ群と第３レンズ群との間に絞りを配置することがより好ましい。この場合、第２レンズ群から第３レンズ群に入射する光束の光束径は小さいため、絞りの径も小さくすることができ、当該広角ズームレンズの小型化及び軽量化を図る上でも好ましい。
【００１８】
１−２．変倍時の各レンズ群の動作
次に、変倍時の各レンズ群の動作について説明する。本件発明に係る広角ズームレンズにおいて、広角端から望遠端への変倍の際に、各レンズ群間の間隔が変化すればよい。各レンズ群間の間隔が変化する限り、各レンズ群は移動群／固定群のいずれであってもよい。移動群の数が多いほど、焦点距離に応じた各レンズ群の位置の調整が容易になるため、高い変倍比及び高い結像性能を実現する上で好ましい。
【００１９】
１−３．条件式
次に、各条件式について説明する。本件発明に係る広角ズームレンズは、以下の条件式（１）〜条件式（３）を満足することを特徴とする。
【００２０】
条件式（１）：  ５．０  ＜  Ｆ１  ／Ｆ３  ＜  ７．０
条件式（２）：  ２．２  ＜  （ΔＷ２３＋ΔＷ（ｎ−１）ｎ）／Ｆ３  ＜３．５
条件式（３）：−１．３  ＜  βｗ  ＜  −０．８
【００２１】
但し、
Ｆ１は、第１レンズ群の焦点距離であり、
Ｆ３は、第３レンズ群の焦点距離であり、
ΔＷ２３は、広角端における第２レンズ群と第３レンズ群との間の光軸上の間隔であり、
ΔＷ（ｎ−１）ｎは、広角端における当該広角ズームレンズにおいて最も像面側に配置される第ｎレンズ群と、この第ｎレンズ群の物体側に配置される第ｎ−１レンズ群との間の光軸上の間隔であり、
βｗは、広角端における絞りから像面までの間に配置されるレンズ群により構成されるレンズ系の横倍率である。
【００２２】
１−３−１．条件式（１）
まず、条件式（１）について説明する。条件式（１）は、第３レンズ群の焦点距離に対する第１レンズ群の焦点距離の比に関する式である。条件式（１）を満足する場合、第３レンズ群に対する第１レンズ群の屈折力が適正な範囲内となり、当該広角ズームレンズをコンパクトに構成しつつ、より広い画角及び高い変倍比を実現することができる。また、変倍時における収差変動を抑制することができ、変倍域全域において高い結像性能を実現することができる。
【００２３】
これに対して、条件式（１）の数値が上限値以上になると、第３レンズ群に対して第１レンズ群の屈折力が弱くなり過ぎ、広角端における当該広角ズームレンズの小型化を図る上で有利であるが、高い変倍比を実現することが困難になる。一方、条件式（１）の数値が下限値以下になると、第３レンズ群に対して第１レンズ群の屈折力が強くなり過ぎ、高い変倍比を実現する上では有利であるが、広角端における当該広角ズームレンズの小型化を図ることが困難になる。
【００２４】
これらの効果を得る上で、当該広角ズームレンズは以下の条件式（１ａ）を満足することが好ましく、以下の条件式（１ｂ）を満足することがより好ましい。
【００２５】
条件式（１ａ）：５．０  ＜  Ｆ１／Ｆ３  ＜  ６．５
条件式（１ｂ）：５．０  ＜  Ｆ１／Ｆ３  ＜  ６．０
【００２６】
１−３−２．条件式（２）
条件式（２）は、第３レンズ群の焦点距離に対する、広角端における所定のレンズ群間の光軸上の間隔を規定する式である。なお、所定のレンズ群間の光軸上の間隔とは、条件式（２）に示すとおり、第２レンズ群と第３レンズ群との間の光軸上の間隔と、第ｎ−１レンズ群と第ｎレンズ群との間の光軸上の間隔をいい、広角端における光軸上の間隔が他のレンズ群間の光軸上の間隔と比較すると大きくなりやすい。条件式（２）を満足する場合、広角端におけるこれらのレンズ群間の光軸上の間隔が適正な範囲内となり、広角端における当該広角ズームレンズの小型化を図ることが容易になる。これと同時に、変倍時にこれらのレンズ群間の間隔を変化させることが容易になるため、高い変倍比を実現することが容易になる。
【００２７】
なお、第ｎレンズ群とは、上述のとおり、当該広角ズームレンズにおいて最も像面側に配置されるレンズ群をいい、当該広角ズームレンズが５群構成である場合、第ｎレンズ群は第５レンズ群となる。このとき、第ｎ−１レンズ群とは、第４レンズ群を意味する。当該広角ズームレンズが４群構成、６群構成等の場合も同様である。
【００２８】
これに対して、条件式（２）の数値が上限値以上である場合、広角端における上記所定のレンズ群間の光軸上の間隔が大きすぎ、高い変倍比を実現する上では有利であるが、広角端における当該広角ズームレンズの小型化を図ることが困難になる。一方、条件式（２）の数値が下限値以下である場合、広角端における上記所定のレンズ群間の光軸上の間隔が小さく、広角端における当該広角ズームレンズの小型化を図る上では有利であるが、高い変倍比を実現することが困難になる。
【００２９】
これらの効果を得る上で、当該広角ズームレンズは以下の条件式（２ａ）を満足することが好ましく、以下の条件式（２ｂ）を満足することがより好ましい。
【００３０】
条件式（２ａ）：２．２  ＜（ΔＷ２３＋ΔＷ（ｎ−１）ｎ）／Ｆ３  ＜３．２
条件式（２ｂ）：２．２  ＜（ΔＷ２３＋ΔＷ（ｎ−１）ｎ）／Ｆ３  ＜２．９
【００３１】
１−３−３．条件式（３）
条件式（３）は、広角端における絞りから像面までの間に配置されるレンズ群により構成されるレンズ系の横倍率を規定した式である。条件式（３）を満足する場合、一眼レフカメラ等に要求される所定のバックフォーカスを確保することができる。そのため、当該広角ズームレンズを一眼レフカメラ等の交換レンズに好適に用いることができる。
【００３２】
条件式（３）の数値が上限値以上になると、広角端における当該広角ズームレンズの小型化を図る上では有利であるが、バックフォーカスが短くなるため、一眼レフカメラ等の交換レンズに適用することが困難になる。条件式（３）の数値が下限値以下になると、バックフォーカスが大きく、一眼レフカメラ等の広角ズームレンズに好適であるが、広角端における当該広角ズームレンズの小型化を図ることが困難になる。
【００３３】
これらの効果を得る上で、本件発明に係る広角ズームレンズは、以下の条件式（３ａ）を満足することが好ましく、条件式（３ｂ）を満足することがより好ましい。
【００３４】
条件式（３ａ）：−１．２  ＜  βｗ  ＜  −０．８
条件式（３ｂ）：−１．１  ＜  βｗ  ＜  −０．９
【００３５】
１−３−４．条件式（４）
本件発明に係るズームレンズは、上記条件式（１）〜条件式（３）に加えて、以下の条件式（４）を満足することが好ましい。
【００３６】
条件式（４）：１．７＜（ΔＷ２３＋Δ（Ｗ（ｎ−１）ｎ）／ＦｉＴ＜３．０
【００３７】
但し、
ＦｉＴは、絞りから像面までに配置されるレンズ群により構成されるレンズ系の望遠端における焦点距離である。
【００３８】
条件式（４）は、当該広角ズームレンズにおいて絞りよりも像面側に配置されるレンズ群により構成されるレンズ系の望遠端における焦点距離に対して、広角端における上記所定のレンズ群間の光軸上の間隔を規定した式である。条件式（４）を満足する場合、広角端における当該広角ズームレンズの小型化を図ることが容易になると共に、変倍時にこれらのレンズ群間の間隔を変化させることが容易になるため、高い変倍比を実現することが容易になる。
【００３９】
これに対して、条件式（４）の数値が上限値以上である場合、広角端における上記所定のレンズ群間の光軸上の間隔が大きすぎ、高い変倍比を実現する上では有利であるが、広角端における当該広角ズームレンズの小型化を図ることが困難になる。一方、条件式（４）の数値が下限値以下である場合、広角端における上記所定のレンズ群間の光軸上の間隔が小さく、広角端における当該広角ズームレンズの小型化を図る上では有利であるが、高い変倍比を実現することが困難になる。
【００４０】
これらの効果を得る上で、本件発明に係る広角ズームレンズは以下の条件式（４ａ）を満足することが好ましく、条件式（４ｂ）を満足することがより好ましい。
【００４１】
条件式（４ａ）：１．７＜（ΔＷ２３＋Δ（Ｗ（ｎ−１）ｎ）／ＦｉＴ＜２．８
条件式（４ｂ）：１．８＜（ΔＷ２３＋Δ（Ｗ（ｎ−１）ｎ）／ＦｉＴ＜２．５
【００４２】
１−３−５．条件式（５）
本件発明に係る広角ズームレンズにおいて、条件式（１）〜条件式（３）に加えて、条件式（５）を満足することも好ましい。
【００４３】
条件式（５）：４．０  ＜  Ｆ１  ／  ＦｉＴ  ＜  ５．５
但し、Ｆ１及びＦｉＴは上述したとおりである。
【００４４】
条件式（５）は絞り以降のレンズ群により構成されるレンズ系の望遠端における焦点距離に対する第１レンズ群の焦点距離を規定する式である。条件式（５）を満足する場合、第１レンズ群の屈折力が適正な範囲内となり、広角端における当該広角ズームレンズの小型化を図ることが容易になると共に、変倍時にこれらのレンズ群間の間隔を変化させることが容易になるため、高い変倍比を実現することが容易になる。
【００４５】
これに対して、条件式（５）の数値が上限値以上である場合、第１レンズ群の屈折力が弱く、高い変倍比を実現するには、変倍時における第１レンズ群の移動量が大きくなるため、望遠端における当該広角ズームレンズの小型化を図ることが困難になる。一方、条件式（５）の数値が下限値以下である場合、第１レンズ群の屈折力が強く、高い変倍比を実現する上では有利であるが、広角端における当該広角ズームレンズの小型化を図ることが困難になる。
【００４６】
これらの効果を得る上で、本件発明に係る広角ズームレンズは、以下の条件式（５ａ）を満足することが好ましく、条件式（５ｂ）を満足することがより好ましい。
【００４７】
条件式（５ａ）：４．０  ＜  Ｆ１／ＦｉＴ  ＜  ５．２
条件式（５ｂ）：４．０  ＜  Ｆ１／ＦｉＴ  ＜  ４．８
【００４８】
１−３−６．条件式（６）
本件発明に係る広角ズームレンズは、条件式（１）〜条件式（３）に加えて以下の条件式（６）を満足することが好ましい。
【００４９】
条件式（６）：１．３  ＜  ＦｉＷ／ＦｉＴ  ＜  ２．０
【００５０】
但し、
ＦｉＷは、広角端における、絞りから像面までに配置されるレンズ群により構成されるレンズ系の焦点距離であり、ＦｉＴは上述したとおりである。
【００５１】
条件式（６）は、上記絞り以降のレンズ群により構成されるレンズ系の望遠端における焦点距離に対する広角端の焦点距離の比を規定する式である。条件式（６）を満足する場合、絞り以降のレンズ群により構成されるレンズ系の変倍に伴う焦点距離の変化量が適正な範囲内となり、広角端における当該広角ズームレンズの小型化を図ることが容易になると共に、高い変倍比を実現することが容易になる。また、変倍時における収差変動を抑制することができるため、変倍域全域において高い結像性能を実現することがより容易になる。
【００５２】
これに対して、条件式（６）の数値が上限値以上になる場合、絞り以降のレンズ群により構成されるレンズ系の変倍に伴う焦点距離の変化量が大きくなり、高い変倍比を実現する上では有利であるが、広角端における当該広角ズームレンズの小型化を図ることが困難になる。一方、条件式（６）の数値が下限値以下になる場合、絞り以降のレンズ群により構成されるレンズ系の変倍に伴う焦点距離の変化量が小さく、収差変動を抑制するとと共に、広角端における小型化を図る上では有利であるが、高い変倍比を実現することが困難になる。
【００５３】
これらの効果を得る上で、本件発明に係る広角ズームレンズは、以下の条件式（６ａ）を満足することが好ましく、条件式（６ｂ）を満足することがより好ましい。
【００５４】
条件式（６ａ）：１．３  ＜  ＦｉＷ／ＦｉＴ  ＜  １．８
条件式（６ｂ）：１．３  ＜  ＦｉＷ／ＦｉＴ  ＜  １．６
【００５５】
以上説明した本件発明に係る広角ズームレンズによれば、広角端における画角が７５°以上、変倍比が１８倍以上であり、変倍域全域において高い結像性能を実現することができる小型の広角ズームレンズを得ることができる。
【００５６】
２．撮像装置
次に、本件発明に係る撮像装置について説明する。本件発明に係る撮像装置は、上記広角ズームレンズと、当該広角ズームレンズによって形成される像を受光する撮像素子とを備えたことを特徴とする。ここで、撮像素子等に特に限定はなく、ＣＣＤセンサやＣＭＯＳセンサなどの固体撮像素子等も用いることができ、本件発明に係る撮像装置は、デジタルカメラやビデオカメラ等のこれらの固体撮像素子を用いた撮像装置に好適である。また、当該撮像装置は、レンズが筐体に固定されたレンズ固定式の撮像装置であってもよいし、一眼レフカメラやミラーレス一眼カメラ等のレンズ交換式の撮像装置であってもよいのは勿論である。しかしながら、本件発明に係る広角ズームレンズのバックフォーカスは比較的長い。このため、本件発明に係る撮像装置は、特に、一眼レフカメラ等のバックフォーカスの比較的長い撮像装置であることが好ましい。
【００５７】
次に、実施例および比較例を示して本件発明を具体的に説明する。但し、本件発明は以下の実施例に限定されるものではない。以下に挙げる各実施例のズームレンズは、デジタルカメラ、ビデオカメラ、銀塩フィルムカメラ等の撮像装置（光学装置）、特に、一眼レフカメラ等のバックフォーカスの比較的長い撮像装置に用いられる広角ズームレンズである。なお、レンズ断面図（図１、図５及び図９）において、図面に向かって左方が物体側、右方が像面側である。
【実施例１】
【００５８】
（１）広角ズームレンズの構成
図１は、本件発明に係る実施例１の広角ズームレンズの構成を示すレンズ断面図である。当該広角ズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５から構成される。
【００５９】
第１レンズ群Ｇ１は、物体側から順に、物体側に凸形状の負の屈折力を有するメニスカスレンズ及び正レンズを接合した接合レンズと、正レンズとの３枚のレンズから構成される。第２レンズ群Ｇ２は、物体側から順に、像側面が凹面の負レンズと、両凹レンズ及び正レンズを接合した接合レンズと、像面側に凸形状の負のメニスカスレンズとから構成される。第３レンズ群Ｇ３は、物体側から順に正レンズと、両凸レンズと、両凸レンズ及び像側に凸形状の負のメニスカスレンズを接合した接合レンズとから構成される。第４レンズ群Ｇ４は、両凹レンズと物体側に凸形状の正のメニスカスレンズとを接合した接合レンズから構成される。第５レンズ群Ｇ５は、物体側から順に両凸レンズと、負レンズ及び正レンズを接合した接合レンズとから構成される。
【００６０】
当該広角ズームレンズでは、広角端から望遠端への変倍に際し、第１レンズ群Ｇ１と第２レンズ群Ｇ２との間隔を広く、第２レンズ群Ｇ２と第３レンズ群Ｇ３との間隔を狭く、第３レンズ群Ｇ３と第４レンズ群Ｇ４との間隔を広く、第４レンズ群Ｇ５と第５レンズ群Ｇ５との間隔を広くするように、各レンズ群がそれぞれ物体側に移動する。
【００６１】
また、当該広角ズームレンズでは、第３レンズ群Ｇ３の物体側に開口絞りＳが配置され、変倍に際し、当該開口絞りＳは第３レンズ群Ｇ３と一体に移動する。また、無限遠物体から近距離物体への合焦に際して、負の屈折力を有する第２レンズ群Ｇ２が合焦群として移動する。また、当該広角ズームレンズでは、第４レンズ群Ｇ４が光軸に対して垂直方向に移動可能に構成されており、手振れ等の際に第４レンズ群Ｇ４が上記垂直方向に移動して像面移動を補正する。
【００６２】
（２）数値実施例
次に、当該広角ズームレンズの具体的数値を適用した数値実施例について説明する。表１に当該広角ズームレンズのレンズデータを示す。表１において、「ＮＳ」は物体側から数えたレンズ面の順番（面番号）、「Ｒ」はレンズ面の曲率半径、「Ｄ」はレンズ面の光軸上の間隔、「Ｎｄ」はｄ線（波長λ＝５８７．６ｎｍ）に対する屈折率、「ＡＢＶ」はｄ線に対するアッベ数をそれぞれ示している。また、レンズ面が非球面である場合には、面番号の次に「ＡＳＰＨ」を付し、曲率半径Ｒの欄には近軸曲率半径を示している。
【００６３】
また、表２は、表１に示した非球面について、その形状を次式で表した場合の非球面係数及び円錐定数を示す。
【００６４】
【数１】
0006563328.tif 000002
【００６５】
また、表３は、表１に示すレンズ面の光軸上の可変間隔であって、広角端、中間焦点距離、望遠端における無限遠合焦時の間隔である。これらの表中の長さの単位は全て「ｍｍ」であり、画角の単位は全て「°」である。また、各条件式（１）〜条件式（６）の数値を表１０に示す。なお、これらの表に関する事項は実施例２及び実施例３で示す各表においても同様であるため、以下では説明を省略する。
【００６６】
また、以下に当該広角ズームレンズの広角端、中間焦点距離及び望遠端における焦点距離（Ｆ）、Ｆナンバー（Ｆｎｏ）、半画角（ω）をそれぞれ順に示す。
【００６７】
Ｆ    ：１８．５  〜  ８５  〜  ３８９
Ｆｎｏ：３．４  〜  ５．６  〜  ６．５
ω    ：３９．６３  〜  ９．４  〜  ２．０９
【００６８】
【表１】
0006563328.tif 000003
【００６９】
【表２】
0006563328.tif 000004
【００７０】
【表３】
0006563328.tif 000005
【００７１】
また、図２、図３及び図４に、それぞれ広角端、中間焦点距離及び望遠端における当該広角ズームレンズの無限遠合焦時の縦収差図を示す。それぞれの縦収差図は、図面に向かって左から順に、球面収差、非点収差、歪曲収差、倍率色収差を表している。球面収差を表す図では、縦軸は開放Ｆ値との割合、横軸にデフォーカスをとり、実線がｄ線（波長λ=587.6ｎｍ）、破線がＣ線（波長λ=656.3ｎｍ）、一点鎖線がｇ線（波長λ=435.8ｎｍ）における球面収差を表す。非点収差を表す図では、縦軸は像高、横軸にデフォーカスをとり、実線がサジタル面（Ｓ）、破線がメリジオナル面（Ｔ）での非点収差を表す。歪曲収差を表す図では、縦軸は像高、横軸に％をとり、歪曲収差を表す。倍率色収差を表す図では、縦軸が像高、横軸にデフォーカスをとり、実線がＣ線、波線がｄ線における倍率色収差を示す。これらの縦収差図に関する事項は実施例２及び実施例３で示す各縦収差図においても同様であるため、以下では説明を省略する。
【実施例２】
【００７２】
（１）広角ズームレンズの構成
図５は、実施例２の広角ズームレンズの光学系の構成を示すレンズ断面図である。実施例２の広角ズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とから構成される。また、第３レンズ群の物体側に開口絞りＳが配置されている。各レンズ群のレンズ構成は実施例１の広角ズームレンズと略同様であり、具体的には図５に示すとおりである。また、変倍時における動作、合焦時における動作、手振れ等の際の動作も実施例１と略同様であるため、ここでは説明を省略する。
【００７３】
（２）数値実施例
次に、当該広角ズームレンズの具体的数値を適用した数値実施例について説明する。表４は、当該広角ズームレンズのレンズデータである。表５は、表４に示す非球面の非球面係数及び円錐定数である。表６は、表４に示すレンズ面の光軸上の可変間隔であって、広角端、中間焦点距離、望遠端における無限遠合焦時の間隔である。また、各条件式（１）〜条件式（６）の数値を表１０に示す。
【００７４】
また、以下に当該広角ズームレンズの広角端、中間焦点距離及び望遠端における焦点距離（Ｆ）、Ｆナンバー（Ｆｎｏ）、半画角（ω）をそれぞれ順に示す。
【００７５】
Ｆ    ：１８．５  〜  ８５  〜  ３８９
Ｆｎｏ：３．４  〜  ５．６  〜  ６．５
ω    ：３９．６３  〜  ９．４  〜  ２．０９
【００７６】
【表４】
0006563328.tif 000006
【００７７】
【表５】
0006563328.tif 000007
【００７８】
【表６】
0006563328.tif 000008
【実施例３】
【００７９】
（１）広角ズームレンズの構成
図９は、実施例３の広角ズームレンズの光学系の構成を示すレンズ断面図である。実施例２の広角ズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とから構成される。また、第３レンズ群の物体側に開口絞りＳが配置されている。各レンズ群のレンズ構成は実施例１の広角ズームレンズと略同様であり、具体的には図５に示すとおりである。また、変倍時における動作、合焦時における動作、手振れ等の際の動作も実施例１と略同様であるため、ここでは説明を省略する。
【００８０】
（２）数値実施例
次に、当該広角ズームレンズの具体的数値を適用した数値実施例について説明する。表７は、当該広角ズームレンズのレンズデータである。表８は、表７に示す非球面の非球面係数及び円錐定数である。表９は、表７に示すレンズ面の光軸上の可変間隔であって、広角端、中間焦点距離、望遠端における無限遠合焦時の間隔である。また、各条件式（１）〜条件式（６）の数値を表１０に示す。
【００８１】
また、以下に当該広角ズームレンズの広角端、中間焦点距離及び望遠端における焦点距離（Ｆ）、Ｆナンバー（Ｆｎｏ）、半画角（ω）をそれぞれ順に示す。
【００８２】
Ｆ    ：１８．５  〜  ８６  〜  ３４９．１２
Ｆｎｏ：３．６  〜  ５．８２  〜  ６．５
ω    ：３９．５９  〜  ９．３  〜  ２．３３
【００８３】
【表７】
0006563328.tif 000009
【００８４】
【表８】
0006563328.tif 000010
【００８５】
【表９】
0006563328.tif 000011
【００８６】
【表１０】
0006563328.tif 000012
【００８７】
なお、上述の実施例では広角ズームレンズが５群構成（ｎ＝５）である場合を例に挙げて説明したが、本発明はこれに限定されるものではない。例えば、広角ズームレンズが４群構成（ｎ＝４）であってもよいし、６群構成（ｎ＝６）であってもよいし、７群以上のレンズ群を有する構成であってもよい。
【産業上の利用可能性】
【００８８】
本件発明によれば、より広い画角及びより高い変倍比を実現すると共に、変倍域全域において高い結像性能を有する小型の広角ズームレンズを提供することができる。
【符号の説明】
【００８９】
Ｇ１・・・第１レンズ群
Ｇ２・・・第２レンズ群
Ｇ３・・・第３レンズ群
Ｇ４・・・第４レンズ群
Ｇ５・・・第５レンズ群
Ｓ・・・開口絞り
ＶＣ・・・防振群
【図１】
0006563328.tif 000013
【図２】
0006563328.tif 000014
【図３】
0006563328.tif 000015
【図４】
0006563328.tif 000016
【図５】
0006563328.tif 000017
【図６】
0006563328.tif 000018
【図７】
0006563328.tif 000019
【図８】
0006563328.tif 000020
【図９】
0006563328.tif 000021
【図１０】
0006563328.tif 000022
【図１１】
0006563328.tif 000023
【図１２】
0006563328.tif 000024